(57)【要約】【課題】複数の機能を有する遠赤外線熱風型治療装置を提供する。【解決手段】治療装置は、ハウジング、ハウジング中に装着される回路モジュール、ハウジング中に装着され、回路モジュールと電気的に接続する発熱体、ハウジング中に装着され、回路モジュールと電気的に接続される送風調整ユニットおよびハウジング上に装着され、回路モジュール、ハウジングおよび送風調整ユニットと電気的に接続される制御ユニットとを有する。よって、治療装置は、殺菌効果および血液循環と細胞活性化の効果を有する。【選択図】図３
2017099817.tif 000002
【特許請求の範囲】
【請求項１】
治療装置であって、
ハウジングと、
前記ハウジング内に装着される回路モジュールと、
前記ハウジング内に装着され、且つ、前記回路モジュールと電気的に接続される発熱体と
、
前記ハウジング中に装着され、且つ、前記回路モジュールに電気的に接続される送風調整
ユニットおよび
前記ハウジング上に装着され、且つ、前記回路モジュール、前記ハウジングおよび前記送風調整ユニットに電気的に接続される制御ユニットと、
を有し、
前記ハウジングは、空気吹出口を備えた送風道を有する頂部および空気室を有する底部
を有し、
前記ハウジングは、それぞれ、前記空気室と接続する複数の空気吸込口を有し、
前記回路モジュールは、温度検出・調整回路および整流回路を有し、
前記発熱体は、前記ハウジングの前記送風調整ユニットと前記空気吹出口間に設置さ
れ、且つ、遠赤外線効果を有するセラミック部分を有し、
前記発熱体の前記セラミック部分は、複数のスルーホールを有し、
前記送風調整ユニットは、前記ハウジングの前記空気吸込口に配列され、
前記制御ユニットは、前記ハウジングから外に延伸し、且つ、外部電源と電気的に接続し
、
前記制御ユニットは、複数の操作インターフェースを有し、
前記制御ユニットが、前記操作インターフェースの制御機能を開始するとき、前記発熱体
は、前記回路モジュールの前記温度検出・調整回路と前記整流回路の動作により、所定温
度で温風を放出し、前記温風は、前記送風調整ユニットの操作により、前記ハウジングの
前記送風道と前記空気吹出口から固定具に送り、前記温風が人体の患部に当たるようにな
り、
前記発熱体の前記スルーホールは、マルチチャネル機能を有して、均一な分布の空気領域
を形成し、前記回路モジュールの前記温度検出・調整回路は、前記発熱体の電力を調整し
て、安定した温度を維持し、前記温風が前記人体の患部に当たり、殺菌効果を達成し、
前記発熱体が加熱されて、前記セラミックの前記遠赤外線効果を増加して、血液循環を増
加し、前記人体の細胞を活性化することを特徴とする治療装置。
【請求項２】
前記制御ユニットは、さらに、電力停止切換ボタンとロジック制御・ヒューマンマシ
ンインターフェースを有し、
前記制御ユニットの前記操作インターフェースは、前記発熱体の前記スルーホールおよ
び前記回路モジュールの前記温度検出・調整回路によるマルチチャネル温度監視機能、
前記発熱体の前記セラミック部分による遠赤外線照射機能、噴霧蒸気加湿ユニットによる
噴霧蒸気加湿機能、前記ロジック制御・ヒューマンマシンインターフェースによるタッチ
制御機能および前記電力停止切換ボタンによる非常用電源停止機能を有し、
前記制御ユニットは、前記外部電源と前記治療装置間の接続を切り換える電力スイッチを
有し、
さらに、前記ハウジングの周壁上に装着され、且つ、前記回路モジュールと前記制御ユニ
ットに電気的に接続される液晶ディスプレイパネルを有し、
前記液晶ディスプレイパネルは安全温度制限を示し、且つ、タッチ制御操作説明インター
フェース、オーディオとビデオ収束、多言語モードおよび知的相互作用導入モジュールを
有し、
前記液晶ディスプレイパネルは、操作選択アイテムを有し、前記制御ユニットの前記操作
インターフェースと共動する音声インターフェースを有し、同時に、前記の選択された操
作選択アイテムと前記操作機能を有し、
さらに、前記ハウジングの前記空気吸込口内に装着される複数のフィルタリング層を有す
ることを特徴とする請求項１に記載の治療装置。
【請求項３】
前記発熱体の前記セラミック部分は、前記回路モジュールにより、加熱、整流されて、２
５から１５０°Cの所定温度幅を有し、前記送風調整ユニットは、０．１から５L/分の所
定流速で、周辺冷気を調整することを特徴とする請求項１に記載の治療装置。
【請求項４】
前記固定具は、前記ハウジングの前記空気吹出口の上に装着され、且つ、人の鼻、口
またはつま先に使用可能なコンタクトヘッドを有することを特徴とする請求項１に記載
の治療装置。
【請求項５】
前記治療装置は、さらに、前記回路モジュールと前記制御ユニットに電気的に接続する噴
霧蒸気加湿ユニットを有し、
前記噴霧蒸気加湿ユニットは、前記送風調整ユニットと共動して、前記噴霧蒸気加湿ユニ
ットからの噴霧蒸気が、前記発熱体からの前記温風と混合されて、前記ハウジングの前記
送風道と前記空気吹出口から前記固定具に送られることを特徴とする請求項１に記載の
治療装置。
【発明の詳細な説明】
【技術分野】
【０００１】
本発明は、遠赤外線温風型治療装置に関するものであり、さらに詳しくは、最適な距離
で、効果的に温風を送り、呼吸器の疾病に温風治療を行うと同時に、効果的に、空気中の
粉塵雑質を隔絶することにより、散布吸入および殺菌、菌抑制、人体細胞の活性化ならび
に細胞修復等の多重効果を有する遠赤外線温風型治療装置に関するものである。
【背景技術】
【０００２】
風邪の発熱などの症状は、ウィルスの侵入が原因で生ずるものであり、身体に極度に不
快感を与える。その症状を和らげる方法としては、抗生物質の投与が一般的でり、これに
よりウィルスは死滅するが、身体に副作用が生ずることが多い。
図１に示されるような従来の温風治療装置は、複数の吸気口２を有するハウジング１、ハ
ウジング１中に装着され、吸気口２と配列されるフィルタリングネット３、ハウジング１
中に装着され、吸気口２と配列される第一端およびハウジング１から外に突出する第二端
を有する流道４、流道４の第二端と接続される導管５、ハウジング１中に装着され、流道
４中に延伸する電気加熱フィラメント７を有する電子ヒーター８、吸気口２と電気加熱フ
ィラメント７間に設置されるファン６を有する。かかる温風治療器を操作するには、先ず
、ファン６の操作により、外気が、吸気口２から流道４に導入される。その後、電気加熱
フィラメント７は空気を熱して、ファン６により温風を形成して、導管５によりユーザー
の患部、ユーザーの鼻や口に流れ、ユーザーの患部を治療する。電気加熱フィラメント７からの熱や温度は、温度調整器により制御される。しかし、導管５から外部空気中に温風が送られるとき、ハウジング１外の周囲条件が温風に影響し、温風の温度は容易に制御できない。このほか、空気中の微小のごみが、ユーザーの患部に吸い込まれる温風と混合されて、治療効果を低下させる。さらに、ファン６は、高温の温風を放出するので、電気加熱フィラメント７から隔てて設置することにより、温風の温度を低下させ、やけどを防止するため、導管５は長距離となるので、従来の治療装置は体積が大きくなり、容易に運搬および操作できないという問題も指摘されてきた。
【発明の概要】
【発明が解決しようとする課題】
【０００３】
従って、本発明の課題は、複数の機能を有する遠赤外線熱風型治療装置を提供すること
にある。
【課題を解決するための手段】
【０００４】
そこで、本発明者は、本発明の前記課題を解決するための鋭意検討を重ねた結果、後述
の如く、ハウジング、ハウジング中に装着される回路モジュール、ハウジング内に装着さ
れ、回路モジュールと電気的に接続する発熱体、ハウジング内に装着され、回路モジュー
ルと電気的に接続される送風調整ユニットおよびハウジング上に装着され、回路モジュー
ル、ハウジングおよび送風調整ユニットと電気的に接続される制御ユニットを有する治療
装置が前記課題を解決できる点に着目し、かかる知見に基いて本発明に想到するに至った
。
かくして、本発明の要旨は、次の通りである。
【０００５】
（１）治療装置であって、
ハウジングと、
前記ハウジング中に装着される回路モジュールと、
前記ハウジング中に装着され、且つ、前記回路モジュールと電気的に接続される発熱体と
、
前記ハウジング中に装着され、且つ、前記回路モジュールに電気的に接続される送風調整
ユニットおよび
前記ハウジング上に装着され、且つ、前記回路モジュール、前記ハウジングおよび前記送風調整ユニットに電気的に接続される制御ユニットと、
を有し、
前記ハウジングは、空気吹出口を有する送風道を有する頂部および空気室を有する底部
を有し、
前記ハウジングは、それぞれ、前記空気室と接続する複数の空気吸込口を有し、
前記回路モジュールは、温度検出・調整回路および整流回路を有し、
前記発熱体は、前記ハウジングの前記送風調整ユニットと前記空気吹出口間に設置され、
且つ、遠赤外線効果を有するセラミック部分を有し、
前記発熱体の前記セラミック部分は、複数のスルーホールを有し、
前記送風調整ユニットは、前記ハウジングの前記空気吸込口に配列され、
前記制御ユニットは、前記ハウジングから外に延伸し、且つ、外部電源と電気的に接続し
、
前記制御ユニットは、複数の操作インターフェースを有し、
前記制御ユニットが、前記操作インターフェースの制御機能を開始するとき、前記発熱体
は、前記回路モジュールの前記温度検出・調整回路と前記整流回路の動作により、所定温
度で温風を放出し、前記温風は、前記送風調整ユニットの操作により、前記ハウジングの
前記送風道と前記空気吹出口から固定具に送り、前記温風が人体の患部に当たり、
前記発熱体の前記スルーホールは、マルチチャネル機能を有して、均一な分布の空気領域
を形成し、前記回路モジュールの前記温度検出・調整回路は、前記発熱体の電力を調整し
て、安定した温度を維持し、前記温風が前記人体の患部に当たり、殺菌効果を達成し、
前記発熱体が加熱されて、前記セラミックの前記遠赤外線効果を増加して、血液循環を増
加し、前記人体の細胞を活性化することを特徴とする治療装置。
【０００６】
（２）前記制御ユニットは、さらに、電力停止切換ボタンとロジック制御・ヒューマンマ
シンインターフェースを有し、
前記制御ユニットの前記操作インターフェースは、前記発熱体の前記スルーホール、およ
び、前記回路モジュールの前記温度検出・調整回路によるマルチチャネル温度監視機能、
前記発熱体の前記セラミック部分による遠赤外線照射機能、噴霧蒸気加湿ユニットによる
噴霧蒸気加湿機能、前記ロジック制御・ヒューマンマシンインターフェースによるタッチ
制御機能および前記電力停止切換ボタンによる非常用電源停止機能を有し、
前記制御ユニットは、前記外部電源と前記治療装置間の接続を切り換える電力スイッチを
有し、
さらに、前記ハウジングの周壁上に装着され、且つ、前記回路モジュールと前記制御ユニ
ットに電気的に接続される液晶ディスプレイパネルを有し、
前記液晶ディスプレイパネルは安全温度制限を示し、且つ、タッチ制御操作説明インター
フェース、オーディオとビデオ収束、多言語モードおよび知的相互作用導入モジュールを
有し、
前記液晶ディスプレイパネルは、操作選択アイテムを有し、前記制御ユニットの前記操作
インターフェースと共動する音声インターフェースを有し、同時に、前記の選択された操
作選択アイテムと前記操作機能を有し、
さらに、前記ハウジングの前記空気吸込み口中に装着される複数のフィルタリング層を有
することを特徴とする前記（１）に記載の治療装置。
【０００７】
（３）前記発熱体の前記セラミック部分は、前記回路モジュールにより、加熱、整流され
て、２５から１５０°Cの所定温度幅を有し、前記送風調整ユニットは、０．１から５L/
分の所定流速で、周辺冷気を調整することを特徴とする前記（１）に記載の治療装置。
【０００８】
（４）前記固定具は、前記ハウジングの前記空気吹出口上に装着され、且つ、人の鼻、口
、または、つま先に使用可能なコンタクトヘッドを有することを特徴とする前記（１
）に記載の治療装置。
【０００９】
（５）記治療装置は、さらに、前記回路モジュールと前記制御ユニットに電気的に接続す
る噴霧蒸気加湿ユニットを有し、
前記噴霧蒸気加湿ユニットは、前記送風調整ユニットと共動して、前記噴霧蒸気加湿ユニ
ットからの噴霧蒸気が、前記発熱体からの前記温風と混合されて、前記ハウジングの前記
送風道と前記空気吹出口から前記固定具に送られることを特徴とする前記（１）に記載の
治療装置。
【発明の効果】
【００１０】
本発明によれば、殺菌効果、血液循環と細胞活性化の効果を有し、且つ、温熱治療と細胞
回復の効果を有する治療装置を提供することができる。
また、本発明によれば、人体の異なる患部、たとえば、鼻、口およびつま先に使用可能な治療装置を提供することができる。
さらに、本発明によると、変形と防塵機能を有して、人体の患部の保護可能な治療装置を
提供することができる。
【図面の簡単な説明】
【００１１】
【図１】従来の治療装置の断面図である。
【図２】本発明の一実施形態に係る治療装置の発熱体を示す図である。
【図３】本発明の一実施形態に係る治療装置の部分断面図である。
【図４】本発明の一実施形態に係る治療装置の回路図である。
【図５】本発明の一実施形態に係る治療装置の機能ブロック図である。
【図６】図５に示される治療装置の操作図である。
【図７】本発明の一実施形態に係る治療装置の部分断面図である。
【図８】本発明の一実施形態に係る治療装置の部分断面図である。
【図９】本発明の一実施形態に係る治療装置の部分断面図である。
【図１０】本発明の一実施形態に係る治療装置の部分断面図である。
【図１１】本発明の一実施形態に係る治療装置の部分断面図である。
【図１２】本発明の一実施形態に係る治療装置の部分分解透視図である。
【発明を実施するための形態】
【００１２】
図２から図１０を参照すると、本発明の好ましい実施形態による治療装置は、ハウジン
グ４０、ハウジング４０中に装着される回路モジュール２０ 、ハウジング４０中に装着
され、回路モジュール２０と電気的に接続する発熱体１０、ハウジング４０中に装着され
、回路モジュール２０と電気的に接続する送風調整ユニット３０およびハウジング４０
上に装着され、回路モジュール２０、ハウジング４０および送風調整ユニット３０と電気
的に接続する制御ユニット５０を有する。治療装置は、さらに、回路モジュール２０と制
御ユニット５０に電気的に接続する噴霧蒸気加湿ユニット７０ を有する。
ハウジング４０は、空気吹出口４３を有する送風道４２を有する頂部および空気室４１を有する底部を有する。ハウジング４０は、それぞれ、空気室４１と接続する複数の空気吸込み口４４がある。
【００１３】
固定具６０が、ハウジング４０の空気吹出口４３上に装着され、且つ、図７に示すよ
うにコンタクトヘッド６１を有する。好ましくは、固定具６０は、軟性の熱抵抗材料、た
とえば、ゴムから形成される。
回路モジュール２０は、温度検出・調整回路２２と、整流回路２４とを有する。
発熱体１０は、ハウジング４０の送風調整ユニット３０を空気吹出口４３間に設置され、且つ、遠赤外線効果を有するセラミック部分１１を含む。発熱体１０のセラミック部分１１は、互いに結合されるセラミックナノ粉末と遠赤外線コーティング材で形成される。発熱体１０のセラミック部分１１は多孔性構造を有し、且つ、複数のスルーホール１２を有する。発熱体１０のセラミック部分１１は、スルーホール１２により、マルチチャネル機能を有する。
【００１４】
送風調整ユニット３０は、ハウジング４０の空気吸込み口４４に配列される。
制御ユニット５０は、ハウジング４０から外に延伸すると共に、図１０に示すように、電
気コード２８により外部電源２６と電気的に接続する。制御ユニット５０は、図１０に示
すように、複数の操作インターフェース５１、電力停止切換ボタン５２およびロジック制
御とヒューマンマシンインターフェース５３を有する。制御ユニット５０は、回路モュー
ル２０の温度検出・調整回路２２により、発熱体１０の温度を制御および調整する。
【００１５】
制御ユニット５０の使用において、制御ユニット５０の操作インターフェース５１は、
発熱体１０のスルーホール１２および回路モジュール２０の温度検出・調整回路２２に
よるマルチチャネル温度監視機能、発熱体１０のセラミック部分１１による遠赤外線照射
機能、噴霧蒸気加湿ユニット７０による噴霧蒸気加湿機能、ロジック制御・ヒューマンマ
シンインターフェース５３によるタッチ制御機能および電力停止切換ボタン５２による非
常用電源停止機能を有する。よって、制御ユニット５０の操作インターフェース５１は、
温度調整機能を提供し、マルチポイント温度監視機能を提供して、最適な電気エネルギー
出力を計算し、出力電力を均一に分布させ、温度安定を制御する。
【００１６】
制御ユニット５０の実施において、制御ユニット５０が、操作インターフェース５１の
制御機能を開始するとき、回路モジュール２０の温度検出・調整回路２２と整流回路２４
の動作により、発熱体１０が、所定温度で、温風を放出し、温風は、送風調整ユニット３
０の操作により、ハウジング４０の送風道４２と空気吹出口４３から固定具６０に送られ
て、温風が人体の患部に当たる。よって、発熱体１０のスルーホール１２は、マルチチャ
ネル機能を有して、均一な分布の空気領域を形成し、回路モジュール２０の温度検出・調
整回路２２は、発熱体１０の電力を調整して、安定した温度を維持し、温風が人体の患部
に当たり、殺菌効果を達成する。このほか、発熱体１０は加熱して、セラミック部分１１
の遠赤外線効果を増加させることにより、血液循環が増加し、人体の細胞を活性化させる
。
【００１７】
本発明の好ましい実施形態において、発熱体１０のセラミック部分１１が、回路モュー
ル２０により加熱および整流されて、２５から１５０°Cの所定温度幅を有する。このほ
か、送風調整ユニット３０は、周辺冷気を空気吸込口４４からハウジング４０の空気室４
１に送り、０．１から５L/分の所定流速で、周辺冷気を調整する。さらに、発熱体１０は
、周辺冷気を４０から８０°C の所定温度の範囲内に加熱する熱源を有し、ユーザーに快
適感を与える。
【００１８】
本発明に係る治療装置の操作において、図２から図４と共に、図６を参照すると、送風
調整ユニット３０は、周辺冷気を空気吸込み口４４からハウジング４０の空気室４１に送
り、０．１から５L/分の安定した流速で、周辺冷気を調整する。同時に、送風調整ユニッ
ト３０下で、ハウジング４０の空気室４１が、エアブラスト効果を形成して、送風調整ユ
ニット３０が、周辺冷気をハウジング４０に導入するのを容易にする。その後、発熱体１
０は周辺冷気を加熱して、４０から８０°Cの所定温度の範囲内で、温風を形成する。そ
の後、図６に示されるように、温風が、送風調整ユニット３０の操作により駆動されて、
ハウジング４０の送風道４２と空気吹出口４３から固定具６０に流れ、温風が人体の患部
に当たる。同時に、噴霧蒸気加湿ユニット７０は、図４に示されるように、送風調整ユニ
ット３０と共動して、噴霧蒸気加湿ユニット７０からの噴霧蒸気が、発熱体１０からの温
風と混合されて、ハウジング４０の送風道４２と空気吹出口４３から、固定具６０に送ら
れる。
【００１９】
図５に示されるように、回路モジュール２０の温度検出・調整回路２２は、発熱体１０
の電力を調整して、安定した温度を維持して、ハウジング４０の空気吹出口４３からの
温風が、一定温度に維持されて、殺菌効果を達成する。最適殺菌温度範囲は、通常、４０
から４５°Cである。このほか、発熱体１０が加熱されて、セラミック部分１１の遠赤外
線効果を増加し、血液循環と細胞活性化の効果を達成する。さらに、噴霧蒸気加湿ユニッ
ト７０が、送風調整ユニット３０と共動して、噴霧蒸気加湿ユニット７０からの噴霧蒸気
が、発熱体１０からの温風と混合されて、温熱治療と細胞回復効果を達成する。
【００２０】
図７に示されるように、固定具６０のコンタクトヘッド６１は、人体の鼻の治療に使
用することができる。
図８に示されるように、固定具６０Ａのコンタクトヘッド６１Ａは、人体の口に使用で
きる。
図９に示されるように、固定具６０Ｂのコンタクトヘッド６１Ｂは、人体の脚部のつま
先に使用できる。
図１０に示されるように、本発明に係る治療装置は、さらに、ハウジング４０の周壁に
装着され、且つ、回路モジュール２０と制御ユニット５０に電気的に接続する液晶ディス
プレイパネル４５を有する。液晶ディスプレイパネル４５は安全温度範囲を示すことがで
き、タッチ制御操作説明インターフェース、オーディオとビデオ収束、多言語モードおよ
び知的相互作用導入モジュールを有する。
【００２１】
本発明に係る治療器具の使用時、制御ユニット５０の操作インターフェース５１が操作
されて、所定温度を設定し、発熱体１０のセラミック部分１１が回路モジュール２０によ
り駆動されて、所定温度を維持する温風を生成する。このほか、温風が所定温度を超える
とき、制御ユニット５０の電力停止切換ボタン５２を操作して、電源を停止し、これによ
り、ユーザーが、やけどするのを防止する。さらに、制御ユニット５０の操作インター
フェース５１は温度制御スイッチとして機能し、温風の流速を調整し、動作時間を制御す
る。さらに、制御ユニット５０の操作インターフェース５１で、人体の患部、たとえば、
鼻のコンタクトヘッド６１、口のコンタクトヘッド６１Ａおよびつま先のコンタクトヘッ
ド６１Ｂを選択する。さらに、制御ユニット５０は、外部電源２６と治療装置間の接続を
切り換える電力スイッチを有する。さらに、制御ユニット５０のロジック制御・ヒューマ
ンマシンインターフェース５３は、ユーザーが治療装置を操作するのを容易にする。同時
に、液晶ディスプレイパネル４５は操作選択アイテムを有し、且つ、制御ユニット５０の
操作インターフェース５１と共動する音声インターフェースを有して、同時に、選択された操作選択アイテムと操作機能を有す。
【００２２】
図１１と図１２を参照すると、本発明に係る治療装置は、さらに、ハウジング４０の空
気吸込口４４中に装着される複数のフィルタリング層４４１を有し、変形可能と防塵機能
を提供する。好ましくは、フィルタリング層４４１は活性炭からなり、取り外し可能な形
式で、ハウジング４０の空気吸込口４４に装着されて、ユーザーが、フィルタリング層４
４１を着脱するのを容易にする。各空気吸込口４４は、周辺に、取り付けスロット４４２
を有して、フィルタリング層４４１を取り付ける。
【００２３】
よって、本発明に係る治療装置は殺菌効果を有し、血液循環と細胞活性化の効果を有し
、温熱治療と細胞回復の効果を有する。このほか、治療装置は、人体の異なる患部、たと
えば、鼻、口およびつま先に使用可能である。さらに、治療装置は、変形と防塵機能を有
して、人体の患部を保護する。
本発明では好ましい実施形態について前述の通り開示したが、これらは決して本発明を
限定するものではなく、本発明の要旨を脱しない範囲内で各種の変更を加えることができ
る。
【符号の説明】
【００２４】
１…ハウジング
２…吸気口
３…フィルタリングネット
４…流道
５…導管
６…ファン
７…フィラメント
８…ヒーター 
１０…発熱体
１１…セラミック部分
１２…スルーホール
２０…回路モジュール
２２…温度検出・調整回路
２４…整流回路
２６…外部電源
２８…電気コード
３０…送風調整ユニット
４０…ハウジング
４１…空気室
４２…送風道
４３…空気吹出口
４４…空気吸込口
４４１…フィルタリング層
４４２…スロット
４５…液晶ディスプレイパネル
５０…制御ユニット
５１…操作インターフェース
５２…切換ボタン
５３…ロジック制御・ヒューマンマシンインターフェース
６０…６０Ａ、６０Ｂ…固定具
６１…６１Ａ、６１Ｂ…コンタクトヘッド
７０…噴霧蒸気加湿ユニット
【図１】
2017099817.tif 000003
【図２】
2017099817.tif 000004
【図３】
2017099817.tif 000005
【図４】
2017099817.tif 000006
【図５】
2017099817.tif 000007
【図６】
2017099817.tif 000008
【図７】
2017099817.tif 000009
【図８】
2017099817.tif 000010
【図９】
2017099817.tif 000011
【図１０】
2017099817.tif 000012
【図１１】
2017099817.tif 000013
【図１２】
2017099817.tif 000014